(57)【要約】      （修正有）【課題】複数の導光板を用いる直下型の複合式バックライトモジュールの輝度ムラ問題を改善する、面光源アセンブリを提供する。【解決手段】面光源アセンブリ１０は、光源１１および導光板１２を含む。光源１１は複数の発光面１１１を有し、各発光面１１１が発光角度範囲を有する。導光板１２は、対向する底面１２１と出光面及び底面１２１と出光面との間を接続する少なくとも一つの側面１２３を有する。底面１２１には光源を収容する収容槽１２４があり、かつ、これらの発光面１１１がこれら少なくとも一つの側面１２３に面する。導光板１２はさらに、これらの発光面１１１の発光角度範囲の内に位置し、これらの発光面１１１が発する一部の光線をこれらの発光角度範囲外まで反射する複数の溝構造１２６を含む。【選択図】図１
2018137212.tif 000002
【特許請求の範囲】
【請求項１】
面光源アセンブリであって、
光源及び導光板を含み、
前記光源は複数の発光面を有し，前記複数の発光面がそれぞれ発光角度範囲を有し、
前記導光板は対向する底面と出光面、及び前記底面と前記出光面との間を接続する少なくとも一つの側面を有し、
前記底面は前記光源を収容する収容槽を有し、
前記複数の発光面は前記少なくとも一つの側面に面し、
前記導光板は、前記複数の発光面の前記発光角度範囲の内に位置する複数の溝構造をさらに有し、前記複数の発光面が発する一部の光線を前記発光角度範囲の外まで反射することを特徴とする面光源アセンブリ。
【請求項２】
前記複数の溝構造が前記導光板の前記底面に設置されることを特徴とする、請求項１に記載の面光源アセンブリ。
【請求項３】
前記複数の溝構造が前記導光板の前記出光面に設置されることを特徴とする、請求項１に記載の面光源アセンブリ。
【請求項４】
前記複数の発光面はそれぞれ光軸を有し、
前記複数の溝構造は複数の第一溝構造を含み、
前記複数の第一溝構造はそれぞれ、前記複数の発光面の前記光軸の両側に配置され、かつ前記光軸に隣接する一端から前記光源及び前記光軸を離れる方向へ延伸する２つの第一溝を含むことを特徴とする、請求項１に記載の面光源アセンブリ。
【請求項５】
前記複数の第一溝構造それぞれの２つの前記第一溝の前記光軸に隣接する前記端が連接していることを特徴とする、請求項４に記載の面光源アセンブリ。
【請求項６】
各前記第一溝と前記光軸との間に挟まれた鋭角は１０度から８０度の間にあることを特徴とする請求項４に記載の面光源アセンブリ。
【請求項７】
各前記第一溝と前記光軸との間に挟まれた鋭角は２０度から７０度の間にあることを特徴とする請求項６に記載の面光源アセンブリ。
【請求項８】
前記複数の溝構造はさらに、前記複数の第一溝構造それぞれと前記光源との間に配置される複数の第二溝構造を含み、
前記複数の第二溝構造はそれぞれ、前記発光面それぞれの前記光軸の両側に配置され、かつ前記光軸に隣接する一端から前記光源及び前記光軸を離れる方向へ延伸する２つの第二溝を含むことを特徴とする請求項４に記載の面光源アセンブリ。
【請求項９】
各前記第一溝の長さが各前記第二溝の長さより大きいことを特徴とする請求項８に記載の面光源アセンブリ。
【請求項１０】
各前記第二溝構造の２つの前記第二溝の前記光軸に隣接する前記端の間に間隔があることを特徴とする請求項８に記載の面光源アセンブリ。
【請求項１１】
前記第一溝は前記少なくとも一つの側面の傍まで延伸することを特徴とする請求項４に記載の面光源アセンブリ。
【請求項１２】
前記複数の溝構造はさらに、各前記第一溝の延伸経路上に配置され、かつ前記導光板の前記少なくとも一つの側面に隣接する複数の延伸溝を含み、
同じ延伸経路上の前記延伸溝及び前記第一溝との間に間隔があることを特徴とする請求項４に記載の面光源アセンブリ。
【請求項１３】
前記導光板はさらに、各前記第一溝構造の両側に配置され、かつ前記導光板の前記少なくとも一つの側面に隣接する複数の周辺溝を含むことを特徴とする請求項４に記載の面光源アセンブリ。
【請求項１４】
前記導光板の前記底面に複数の点状微構造が設けられ、
前記複数の点状微構造の分布密度が前記光源に隣接するところから前記光源を離れる方向へ次第に密になり、かつ前記複数の溝構造に隣接するところから前記複数の溝構造を離れる方向へ次第に密になることを特徴とする請求項１に記載の面光源アセンブリ。
【請求項１５】
前記光源は発光素子を含み、前記発光素子が前記複数の発光面を有することを特徴とする請求項１に記載の面光源アセンブリ。
【請求項１６】
前記光源は複数の発光素子を含み、前記複数それぞれの発光素子が一つの前記発光面を有することを特徴とする請求項１に記載の面光源アセンブリ。
【請求項１７】
前記複数の溝構造中の少なくとも一つの溝構造の深さが異なることを特徴とする請求項１に記載の面光源アセンブリ。
【請求項１８】
前記導光板の前記出光面が凸面であることを特徴とする、請求項１に記載の面光源アセンブリ。
【請求項１９】
バックライトモジュールであって、
請求項１から１８のいずれか一項に記載された前記面光源アセンブリを複数含み、
前記面光源アセンブリの前記導光板が一体に繋ぎ合わせられることを特徴とするバックライトモジュール。
【発明の詳細な説明】
【技術分野】
【０００１】
本発明は光源モジュールに関し、特にバックライトモジュール及びその面光源アセンブリに関する。
【背景技術】
【０００２】
液晶表示装置の液晶表示パネルは発光しないため、バックライトモジュールによって面光源を提供する必要がある。バックライトモジュールは直下型バックライトモジュールとエッジライト型バックライトモジュールを含む。今よく見られるエッジライト型バックライトモジュールは、導光板の横側に発光ダイオードライトバーを配置し、導光板の内部に網点を設置して、発光ダイオードライトバーが提供した光線が導光板に入った後、網点によって光線が導光板の出光面から出射される。しかし、発光ダイオードライトバーが導光板の横側に配置されるため、輝度ムラの問題になり易く、かつローカルディミング（ｌｏｃａｌ  ｄｉｍｍｉｎｇ）に不利である。
【０００３】
今よく見られる直下型バックライトモジュールは、二次元アレイ状に配列された複数の発光ダイオードを拡散板の下方に配置し、発光ダイオードの数を減らすため、各発光ダイオードに対応させて二次レンズを設置して、発光ダイオードの出光角度を拡大するものである。エッジライト型バックライトモジュールに比較すると、直下型バックライトモジュールはより優れた輝度均一性を有し、かつローカルディミングに有利であるが、厚さが比較的に厚い問題がある。
【０００４】
従来技術による別のタイプの複合式バックライトモジュールは、複合式バックライトモジュール全体の厚さを低減するよう、直下型バックライトモジュールに用いられる二次レンズの代わりに主に複数の導光板を利用している。しかし、各導光板の隅にはっきりした暗領域が発生しやすいため、従来の複合式バックライトモジュールには輝度ムラの問題があった。
【０００５】
この「背景技術」部分は、本発明の内容の理解を促すためにあり、「背景技術」部分で開示された内容には、当業者が既知の従来技術を構成しないものも含まれている可能性がある。「背景技術」部分で開示された内容は、当該内容または本発明の一つ若しくは複数の実施例で解決しようとする課題を示すものではなく、また本発明が出願前に既に当業者に把握され、または認識されていることを意味するものではない。
【発明の概要】
【発明が解決しようとする課題】
【０００６】
本発明は、バックライトモジュールに応用することが可能な、従来の複合式バックライトモジュールの輝度ムラ問題を改善する面光源アセンブリを提供する。
【０００７】
本発明は、従来の複合式バックライトモジュールの輝度ムラ問題を改善するバックライトモジュールを提供する。
【課題を解決するための手段】
【０００８】
本発明のその他の目的及び利点について、本発明が開示する技術的特徴から一層理解を深めることができる。
【０００９】
前記一つ若しくは一部若しくはすべての目的、またはその他の目的を達成するために、本発明の一実施例は光源及び導光板を含む面光源アセンブリを提供する。光源は複数の発光面を有し、発光面それぞれが発光角度範囲を有する。導光板は、対向する底面と出光面、及び底面と出光面との間を接続する少なくとも一つの側面を有する。底面は光源を収容する収容槽を有し、かつこれらの発光面が前記少なくとも一つの側面に面している。導光板は、これらの発光面の発光角度範囲の内に位置し、これらの発光面が発する一部の光線を前記発光角度範囲の外まで反射する複数の溝構造をさらに有する。
【００１０】
前記一つ若しくは一部若しくはすべての目的、またはその他の目的を達成するために、本発明の一実施例は複数の前記面光源アセンブリを含むバックライトモジュールを提供し、これらの面光源アセンブリの導光板が繋ぎ合わせられて一体となる。
【００１１】
本発明の実施例の面光源アセンブリは、導光板が複数の溝構造を有し、これらの溝構造が光源の発光面が発する一部の光線を発光面の発光角度範囲の外まで反射できるため、従来の複合式バックライトモジュールの導光板の隅暗領域の問題を改善し、輝度の均一性を高めることができる。本発明の実施例のバックライトモジュールは、複数の前記面光源アセンブリを用いるため、従来の複合式バックライトモジュールの輝度ムラ問題を改善できる。
【図面の簡単な説明】
【００１２】
本発明の前記及びその他の目的、特徴と利点をより明確に示すため、以下は実施例に基づき、かつ図面を参照しながら詳しく説明する。
【図１】本発明の一実施例の面光源アセンブリの底面概略図である。
【図２】図１の断面線Ａ‐Ａに沿った断面概略図である。
【図３】本発明の別の実施例の面光源アセンブリの光源の概略図である。
【図４】本発明の別の実施例の面光源アセンブリの底面概略図である。
【図５】本発明の別の実施例の面光源アセンブリの底面概略図である。
【図６】本発明の別の実施例の面光源アセンブリの断面概略図である。
【図７】本発明の一実施例のバックライトモジュールの概略図である。
【発明を実施するための形態】
【００１３】
本発明の前記およびその他の技術内容、特徴および効果は、以下の図面を参照した好ましい実施例の詳細な説明において明確に示されている。以下の実施例において言及される方向用語、例えば、上、下、左、右、前または後などは図面を参照する方向のみである。従って、これらの方向用語は説明目的のみに用いられ、本発明を制限するものではない。
【００１４】
図１は本発明の一実施例の面光源アセンブリの底面概略図であり，図２は図１の断面線Ａ−Ａに沿った断面概略図であるが、図２では図１の点状微構造Ｓが省略されている。図１と図２を参照すると、本実施例の面光源アセンブリ１０は光源１１及び導光板１２を含み、光源１１は複数の発光面１１１を有し、発光面１１１それぞれが発光角度範囲１１２を有する。導光板１２は対向する底面１２１と出光面１２２、及び底面１２１と出光面１２２との間を接続する少なくとも一つの側面１２３を有し、底面１２１は光源１１を収容する収容槽１２４を有し、かつこれらの発光面１１１が前記少なくとも一つの側面１２３に面している。導光板１２はさらに、これらの発光面１１１の発光角度範囲１１２の内に位置し、これらの発光面１１１が発する一部の光線を発光角度範囲１１２の外まで反射する複数の溝構造１２５を有する。
【００１５】
本実施例の光源１１は例えば一つの発光素子を含み、この発光素子は例えば複数の発光面１１１を有し、図１は四つの発光面１１１を例としている。具体的に言うと、この発光素子は例えば四つの発光側面を有する発光ダイオードである。発光面１１１それぞれは光軸Ｎを有し、かつ光軸Ｎは各発光面１１１の発光中心点の法線である。また、発光角度範囲１１２は発光素子自体の規格の発光角度によって決まり、発光角度とはパワー半値角（ｈａｌｆ  ｐｏｗｅｒ  ａｎｇｌｅ）、即ち５０％の発光強度に対応する角度である。例を挙げると、パワー半値角が±６０度である場合、発光角度範囲１１２は±６０度の間になる。
【００１６】
本実施例の導光板１２は、例えば四つの側面１２３を有し、これらの側面１２３が底面１２１と出光面１２２の間を接続するが、本発明は導光板１２の側面１２３の数及び導光板１２の具体的な形状について限定しない。例を挙げると、底面と出光面が円形である実施例において、導光板は円盤形状になり、かつ一つの環状側面のみを有する。図１の実施例において、導光板１２は四つの側面１２３を有する四角形構造であり、光源１１は四つの発光面１１１を有する発光ダイオードであり、かつ各発光面１１１がそれぞれ導光板１２の各側面１２３に対応し、発光面１１１それぞれの発光角度範囲１１２が±３０度の間にあって、導光板１２の各隅が発光面１１１それぞれの発光角度範囲１１２の外に位置するため、導光板１２上に隅暗領域が形成される。
【００１７】
図１において、収容槽１２４が導光板１２の底面１２１の中心に配置され、光源１１が導光板１２の底面１２１の中心に位置しているが、本発明は底面１２１における収容槽１２４の位置について限定しない。つまり、設計ニーズによって収容槽１２４を導光板１２の底面１２１のその他の適切な位置に配置することも可能であり、光源１１が導光板１２の底面１２１の中心に位置するとは限らない。
【００１８】
本実施例の溝構造１２５は、主に発光面１１１が発する一部の光線を導光板１２の暗領域まで反射するために用いられる。溝構造１２５は導光板１２の底面１２１または出光面１２２に設置されてもよいが、図１は導光板１２の底面１２１に設置された例である。以下は溝構造１２５の具体的な実施形態を説明するが、本発明はこれに限定されない。
【００１９】
前記複数の溝構造１２５は例えば複数の第一溝構造１２６を含み、第一溝構造１２６それぞれは、例えば、各発光面１１１の光軸Ｎの両側に配置され、かつ光軸Ｎに隣接する一端１２６２から光源１１及び光軸Ｎを離れる方向へ延伸する２つの第一溝１２６１を含む。また、各第一溝構造１２６の２つの第一溝１２６１の光軸Ｎに隣接する当該端１２６２が例えば繋がっている。互いに繋がっている２つの第一溝１２６１は例えば直線状溝であり、各第一溝構造１２６がＶ字形であるが、本発明は第一溝１２６１それぞれの具体的な形状について限定しない。その他の実施例において、各第一溝１２６１が曲線状溝またはその他の適切な形状の溝であってもよい。さらに、別の実施例において、第一溝構造１２６それぞれの２つの第一溝１２６１の光軸Ｎに隣接する当該端１２６２が繋がらず、光線が隣接する第一溝１２６１の当該端１２６２の間を通過できるようにしてもよい。その他、これらの第一溝１２６１は例えば少なくとも一つの側面１２３の傍まで延伸する。図１の例では、異なる第一溝構造１２６の第一溝１２６１が延伸して導光板１２の異なる側面１２３に繋がっているが、本発明は第一溝構造１２６の第一溝１２６１が延伸して導光板１２の側面１２３に繋がることに限定されず、つまり、第一溝１２６１が側面１２３に繋がらなくてもよい。
【００２０】
本実施例の面光源アセンブリ１０において、溝構造１２５が発光面１１１の発光角度範囲１１２の内に設置されているため、導光板１２に入った光線の一部が溝構造１２５によって発光角度範囲１１２の外の暗領域（例えば、隅暗領域）まで反射されるが、一部の光線が溝構造１２５の上方を通って、溝構造１２５に反射されない。このように、出光面１２２の出光を均一にすることで、導光板１２の出光均一性を高めることができる。
【００２１】
前記第一溝１２６１それぞれと光軸Ｎとの間に例えば鋭角θを有し、この鋭角θの角度を異なるニーズに応じて設計することができる。一実施例において、鋭角θの角度が例えば１０度から８０度の間にあり（つまり、２つの第一溝１２６１の間の夾角が２０度から１６０度の間にあり）、好ましくは、２０度から７０度の間にある（つまり、２つの第一溝１２６１の間の夾角が４０度から１４０度の間にある）。
【００２２】
また、依然として暗領域が存在する場合、導光板１２にさらに別の溝を設置し、光線をこの暗領域まで反射してもよい。例を挙げると、導光板１２はさらに、各第一溝構造１２６の両側に配置され、かつ導光板１２の少なくとも一つの側面１２３に隣接する複数の周辺溝１２７を含んでもよい。図１において、同じ第一溝構造１２６の両側に配置された周辺溝１２７は同じ側面１２３に隣接し、異なる第一溝構造１２６の両側に配置された周辺溝１２７は異なる側面１２３に隣接する。各周辺溝１２７は直線状溝（即ち、図１が示すもの）、曲線状溝またはその他の適切な形状の溝であってもよい。これらの周辺溝１２７は対応する発光面１１１の発光角度範囲１１２の内または外に配置され、一部の光線を暗領域まで反射して、導光板１２の出光均一性をさらに高める。また、図１の各周辺溝１２７はその隣の第一溝１２６１と平行ではないが、別の実施例において、各周辺溝１２７がその隣の第一溝１２６１と平行であってもよい。
【００２３】
導光板１２の底面１２１に複数の点状微構造Ｓを設けることが可能であり、これらの点状微構造Ｓは導光板１２内における光線の全反射を乱し、光線を出光面１２２から出射させる。導光板１２の出光均一性を一層高めるため、これらの点状微構造Ｓの分布密度を光源１１に隣接するところから光源１１を離れる方向へ次第に密になり、かつ溝構造１２５に隣接するところから溝構造１２５を離れる方向へ次第に密になるようにしてもよい。
【００２４】
なお、前記溝構造１２５の深さＤ１によって光線反射の比例が決まり、即ち、溝構造１２５の深さＤ１が大きいほど、光線が溝構造１２５に反射される比例が増し、溝構造１２５の深さＤ１が小さいほど、光線が溝構造１２５に反射される比例が減る。本実施例において、同じ溝構造１２５の深さＤ１が例えば同じであり、かつ溝構造１２５の深さＤ１と導光板１２の厚さＤ２の比例を設計ニーズに応じて調整することができる。一実施例において、溝構造１２５の深さＤ１は例えば導光板１２の厚さＤ２の半分である。その他の実施例において、同じ溝構造１２５の深さＤ１が異なってもよく、溝構造１２５の深さＤ１の変化は、異なる設計ニーズに応じて調整することができる。例を挙げると、溝構造１２５の深さＤ１は光源１１に隣接するところから光源１１を離れる方向へ次第に大きくなってもよい。その他、同じ周辺溝１２７の深さが一致してもまたは一致しなくてもよい。さらに、同じ第一溝１２６１または同じ周辺溝１２７の幅が一致してもまたは一致しなくてもよい。
【００２５】
図１の光源１１は複数の発光面１１１を有する発光素子を例としたが、その他の実施例において、光源が複数の発光素子を含み、発光素子それぞれが一つまたは複数の発光面を有してもよい。例を挙げると、図３は本発明の別の実施例の面光源アセンブリの光源の概略図である。図３において、光源１１ａは四つの発光素子１１３を含み、各発光素子１１３が一つの発光面１１１を有し、この四つの発光素子１１３は発光面１１１が外向きに、一つの四角形を成すように設置されている。図１の光源１１の代わりにこの光源１１ａを用いてもよい。
【００２６】
図４は本発明の別の実施例の面光源アセンブリの底面概略図である。図４を参照すると、本実施例の面光源アセンブリ１０ｂと図１の面光源アセンブリ１０が類似するが、主な相違点は、本実施例の導光板１２ｂの溝構造１２５ｂは前記第一溝構造１２６を含むほか、さらに、各第一溝構造１２６と光源１１との間に配置された複数の第二溝構造１２８を含む。第二溝構造１２８はそれぞれ例えば２つの第二溝１２８１を含み、第二溝１２８１は各発光面１１１の光軸Ｎの両側に配置され、かつ光軸Ｎに隣接する一端１２８２から光源１１及び光軸Ｎを離れる方向へ延伸する。第二溝１２８１も出光面１２２が提供する一部の光線を発光角度範囲１１２の外の暗領域まで反射することが可能であり、第二溝１２８１によって改善される暗領域は第一溝１２６１で改善できなかった暗領域、または第一溝１２６１で改善できるが改善効果が不十分だった暗領域である可能性がある。言い換えれば、第二溝１２８１は第一溝１２６１による導光板１２ｂの暗領域改善を補助することができる。本実施例において、導光板１２の四つの側面１２３が同じ長さであり、かつ四角形構造を形成するため、光源１１に隣接する各第二溝１２８１の長さが長すぎることによって各第二溝１２８１の上方を通過する光線が少なくなり、各第二溝１２８１と各第一溝１２６１の間に暗領域が形成されることを防ぐために、各第一溝１２６１の長さが例えば各第二溝１２８１の長さより大きい。別の実施例において、例えば導光板１２が矩形構造である場合、導光板１２の長手側面と光源との間の距離が比較的に短いため、各第二溝１２８１と各第一溝１２６１との間の距離が比較的に近く、この場合、各第二溝１２８１の長さに起因する各第二溝１２８１と各第一溝１２６１との間の暗領域影響が比較的に小さいため、導光板１２の長手側面に隣接する第一溝１２６１の長さが第二溝１２８１の長さに等しくまたは小さくてもよい。以上の説明からわかるように、第一溝１２６１の長さと第二溝１２８１の長さは、異なる設計において異なる変化を見せるため、本発明はこれに限定されない。また、前記第二溝１２８１は直線状溝（即ち、図４が示すもの）、曲線状溝またはその他の適切な形状の溝であってもよい。また、本実施例の各第二溝構造１２８の２つの第二溝１２８１の光軸Ｎに隣接する当該端１２８２の間に例えば間隔Ｄ３を有するが、互いに繋がってもよく、設計ニーズに応じて決めるとする。また、本実施例の導光板１２ｂは図１の周辺溝１２７を含んでもよい。本発明は第一溝１２６１の長さと第二溝１２８１の長さについて限定しない。
【００２７】
図５は本発明の別の実施例の面光源アセンブリの底面概略図である。図５を参照すると、本実施例の面光源アセンブリ１０ｃと図１の面光源アセンブリ１０が類似するが、主な相違点は、本実施例の導光板１２ｃの複数の溝構造１２５ｃは第一溝構造１２６を含むほか、これらの第一溝１２６１の延伸経路Ｐ上に配置され、かつ導光板１２ｃの少なくとも一つの側面１２３に隣接する複数の延伸溝１２９をさらに含み、かつ、同一延伸経路Ｐ上の延伸溝１２９及び第一溝１２６１の間に間隔Ｄ４を有する。本実施例において、各第一溝１２６１が導光板１２ｃの側面１２３まで延伸せず、各第一溝１２６１に対応する延伸溝１２９が導光板１２ｃに隣接する側面１２３まで延伸し、かつ側面１２３に連接しても連接しなくてもよい。間隔Ｄ４を設置するか否か、及び間隔Ｄ４の長さは、異なるニーズに応じて調整可能である。また、本実施例の導光板１２ｃの複数の溝構造１２５ｃは、図４の第二溝構造１２８及び図１の周辺溝１２７を含んでもよい。
【００２８】
図６は本発明の別の実施例の面光源アセンブリの断面概略図であり、図６に点状微構造が省略されている。図６が示すように、本実施例の面光源アセンブリ１０ｄと図２の面光源アセンブリ１０が類似するが、主な相違点は本実施例の導光板１２ｄの出光面１２２ｄは例えば凸面である。出光面１２２ｄの高さが例えば中心から側面１２３へ次第に低くなる。前記凸面は曲面であっても、または中心から側面１２３へ傾斜する複数の斜面を含んでもよい。出光面１２２ｄを凸面に設計することで、導光板１２ｄ内の光線が出光面１２２ｄにおける入射角を変更することができて、本来なら導光板１２ｄの側面１２３まで反射されて側面１２３から漏れる光線（例えば、光線Ｌ）が、導光板１２ｄの底面１２１まで反射され、かつ底面１２１の点状微構造（図示せず）に反射されて出光面１２２ｄから出射される。このように、光板周辺の光漏れ問題を改善できる。また、前記任意一つの実施例の導光板の出光面に凸面を設置してもよい。
【００２９】
図７は本発明の一実施例のバックライトモジュールの概略図である。図７が示すように、本実施例のバックライトモジュール２０は複数の面光源アセンブリ２１を含み、面光源アセンブリ２１それぞれが光源２１１及び導光板２１２を含み、かつこれらの面光源アセンブリ２１の導光板２１２が繋ぎ合わせられて一体になっている。面光源アセンブリ２１は前記任意一つの実施例の面光源アセンブリであり、例えば、面光源アセンブリ１０、１０ｂ、１０ｃ、１０ｄであってもよい。バックライトモジュール２０は前記任意一つの実施例の面光源アセンブリを用いるため、輝度均一性に優れた面光源を提供できる。
【００３０】
以上を纏めると、本発明の実施例の面光源アセンブリは、導光板が複数の溝構造を有し、これらの溝構造は光源の発光面が発する一部光線を発光面の発光角度範囲の外まで反射できるため、従来の複合式バックライトモジュールの導光板の隅暗領域の問題を改善し、輝度の均一性を高めることができる。本発明の実施例のバックライトモジュールは複数の前記面光源アセンブリを用いるため、亮度均一性に優れた面光源を提供できる。
【００３１】
以上に記載したのは本発明の好ましい実施例であり、本発明の実施範囲がこれに限定されるべきではない。即ち、本発明の請求の範囲および発明の詳細な説明を基に行った簡単な等価変更および修正も本発明の請求範囲内に属する。また、本発明の実施例または請求項のいずれかが必ずしも本発明の開示した目的または利点または特徴を全て満たすとは限らない。その他、要約書と発明の名称は特許文献の検索のために用いられるものであり、本発明の権利範囲を制限するものではない。また、明細書または請求の範囲に言及された「第一」、「第二」などの用語は、素子（ｅｌｅｍｅｎｔ）を命名するための名称または異なる実施例若しくは範囲を区別するためのものであり、素子の数量の上限または下限を制限するものではない。
【符号の説明】
【００３２】
１０、１０ｂ、１０ｃ、１０ｄ、２１      面光源アセンブリ
１１、１１ａ、２１１      光源
１１１      発光面
１１２      発光角度範囲
１１３      発光素子
１２、１２ｂ、１２ｃ、１２ｄ、２１２      導光板
１２１      底面
１２２、１２２ｄ      出光面
１２３      側面
１２４      収容槽
１２５、１２５ｂ、１２５ｃ      溝構造
１２６      第一溝構造
１２６１      第一溝
１２６２、１２８２      端
１２７      周辺溝
１２８      第二溝構造
１２８１      第二溝
１２９      延伸溝
２０      バックライトモジュール
Ｄ１      深さ
Ｄ２      厚さ
Ｄ３、Ｄ４      間隔
Ｌ      光線
Ｎ      光軸
Ｓ      延伸経路
Ｓ      点状微構造
θ      鋭角
【図１】
2018137212.tif 000003
【図２】
2018137212.tif 000004
【図３】
2018137212.tif 000005
【図４】
2018137212.tif 000006
【図５】
2018137212.tif 000007
【図６】
2018137212.tif 000008
【図７】
2018137212.tif 000009